【手続補正書】
【提出日】平成27年7月8日(2015.7.8)
【手続補正１】
【補正対象書類名】特許請求の範囲
【補正対象項目名】全文
【補正方法】変更
【補正の内容】
【特許請求の範囲】
【請求項１】
照明灯具の本体と、
前記照明灯具の本体に設置される電池装置と、
前記照明灯具の本体内に設置され、交流電源の交流電流を受け取る、又は前記電池装置の直流電流を受け取る電源切り替え用制御回路と、
前記電源切り替え用制御回路と電気的に接続されると共に複数のＬＥＤダイス（Ｄｉｅｓ）をその上に設置するＬＥＤランプボードと、
前記電源切り替え用制御回路に電気的に接続され、検知範囲内に人体が進入したかを検知するために用いられ、前記人体が前記検知範囲内に進入したことを検知すると、前記電源切り替え用制御回路に人体感知信号を発生させる人体感知装置とを含み、
前記交流電流が特定の数値より大きく、前記人体感知装置が前記人体感知信号を発生させるとき、前記電源切り替え用制御回路は受け取る前記交流電流が前記ＬＥＤランプボードに入るようにさせ、ＬＥＤ照明灯を駆動させて、第１照明パラメータを有する光源を出力するようにし、前記交流電流が前記特定の数値より小さいとき、前記電源切り替え用制御回路は受け取る前記直流電流が前記ＬＥＤランプボードに入るようにさせ、前記ＬＥＤ照明灯を駆動させて、第２照明パラメータを有する光源を出力するようにすることを特徴とする、ＬＥＤ照明灯。
【請求項２】
前記電源切り替え用制御回路と前記交流電源の間に設置され、ユーザーが前記ＬＥＤランプボードの発光照明を制御するための切り替え用スイッチを含み、前記電源切り替え用制御回路は前記直流電流が前記ＬＥＤランプボードに入るようにさせると、前記ＬＥＤ照明灯を駆動させて、前記第２照明パラメータを有する光源を出力し続ける、又は前記第１照明パラメータは前記第２照明パラメータと同一ではない、又は前記第１照明パラメータと前記第２照明パラメータはそれぞれ第１照明輝度と第２照明輝度、又は前記第１照明パラメータと前記第２照明パラメータはそれぞれ第１照明色温度と第２照明色温度であることを特徴とする、請求項１に記載のＬＥＤ照明灯。
【請求項３】
前記電池装置は取替え可能な部材であることを特徴とする、請求項１に記載のＬＥＤ照明灯。
【請求項４】
前記照明灯具の本体はＬＥＤ蛍光灯で構成され、収納空間を設置し、ユーザーが前記電池装置をその中に実装するのを便利にさせる、又は前記照明灯具の本体はＬＥＤランプで構成され、且つこれは上から下の順序で、口金部、放熱装置及び透光ランプシェードを含み、前記電源切り替え用制御回路は前記放熱装置内部に設置され、前記放熱装置の側壁には少なくとも１つの収納空間が設置され、ユーザーが前記電池装置をその中に実装するのを便利にさせる、又は前記照明灯具の本体はＬＥＤランプで構成され、且つこれは上から下の順序で、口金部、放熱装置及び透光ランプシェードを含み、前記電池装置はリング状であり、上から下に前記口金部を貫通し、前記放熱装置の上端部を被覆するように設置する、又は前記電池装置は一部分の構造は外に露出し、ユーザーが前記電池装置を取り替えることが便利であるようにすることを特徴とする、請求項３に記載のＬＥＤ照明灯。
【請求項５】
照明灯具の本体と、
前記照明灯具の本体内に設置され、複数のＬＥＤダイス（Ｄｉｅｓ）をその上に設置するＬＥＤランプボードと、
前記照明灯具の本体の外部側面に設けられ、取替え可能な部材である電池装置をその中に設置するために用いられる少なくとも１つ着脱可能な電池ケースである電池結合手段と、
前記照明灯具の本体内に設けられ、交流電源、前記少なくとも１つの電池結合手段及び前記ＬＥＤランプボードと電気的に接続され、受け取る前記交流電源の交流電流及び受け取る前記電池装置の直流電流のいずれか１つを前記ＬＥＤランプボードに伝送する電源切り替え用制御回路とを含むことを特徴とする、ＬＥＤ照明灯。
【請求項６】
前記電池装置はバッテリー、リチウム電池、乾電池又は充電電池のいずれか１つである、又は電池ケースの中に設置され前記電池装置は一部分の構造は外に露出し、ユーザーが前記電池装置を取り替えることが便利である、又は前記電源切り替え用制御回路と前記交流電源の間に設置され、ユーザーが前記ＬＥＤランプボードの発光照明を制御するための切り替え用スイッチと、ユーザーが前記ＬＥＤランプボードの発光照明を制御するための押しボタンスイッチと、電池回路板、隠蔽式電池ケース及び地震が発生したときに前記ＬＥＤランプボードの発光照明を制御するための地震感知モジュールと、を含み、前記押しボタンスイッチと前記隠蔽式電池ケースはどれも前記電池回路板に設置されると共に相互に電気的に接続され、前記地震感知モジュールはマイクロマシンチップ構造の重力感知装置に属することを特徴とする、請求項５に記載のＬＥＤ照明灯。
【請求項７】
前記電源切り替え用制御回路は第１電源入力端、第２電源入力端及び電源出力端を有し、前記第１電源入力端は前記少なくとも１つの電池結合手段と電気的に接続され、前記第２電源入力端は前記交流電源と電気的に接続され、前記電源出力端は前記ＬＥＤランプボードに電気的に接続されることを特徴とする、請求項５に記載のＬＥＤ照明灯。
【請求項８】
前記照明灯具の本体はＬＥＤ蛍光灯で構成され、前記電池結合手段を収納するための収納空間を有することを特徴とする、請求項５に記載のＬＥＤ照明灯。
【請求項９】
前記照明灯具の本体は円柱形状であり、下半分の部分は透光ケースであり、両端には電源接続ピンが設置され、前記電源接続ピンは電源切り替え用制御回路の電源入力端に電気的に接続される、又は前記収納空間は前記照明灯具の本体の上半分の部分に設置される、又は人体感知装置は前記ＬＥＤ蛍光灯の下半分の部分に設置されることを特徴とする、請求項８に記載のＬＥＤ照明灯。
【請求項１０】
前記照明灯具の本体上に設置され、検知範囲内に人体が進入したかを検知するために用いられ、前記人体が前記検知範囲内に進入したことを検知すると、人体感知信号を発生させる人体感知装置を含むことを特徴とする、請求項５に記載のＬＥＤ照明灯。
【請求項１１】
前記照明灯具の本体はＬＥＤランプで構成され、且つ上から下の順序で口金部、放熱装置及び透光ランプシェードを含み、前記電池結合手段は前記放熱装置に設置されることを特徴とする、請求項１０に記載のＬＥＤ照明灯。
【請求項１２】
前記電源切り替え用制御回路は前記放熱装置内部に設置される、又は前記放熱装置の側壁には複数の放熱フィンが設置される、又は前記人体感知装置は前記透光ランプシェードの底部に設置されることを特徴とする、請求項１１に記載のＬＥＤ照明灯。
【請求項１３】
前記放熱装置の側面には収納空間があり、前記電池結合手段を収納することを特徴とする、請求項１１に記載のＬＥＤ照明灯。
【請求項１４】
前記放熱装置の側壁には複数の放熱フィンが設置され、少なくとも２つの前記放熱フィンの間に前記着脱可能な電池ケースを収納するための少なくとも１つの前記収納空間がある、又は前記着脱可能な電池ケースの頂点部と底部にはそれぞれ係止ピンと位置決め溝が設置され、前記収納空間の頂点部と底部にはそれぞれ止め金部と位置決めシートが設置され、前記着脱可能な電池ケースが前記収納空間に接続されるとき、前記着脱可能な電池ケースの前記係止ピンは前記収納空間の前記止め金部に係合され、前記収納空間の前記位置決めシートは前記着脱可能な電池ケースの前記位置決め溝内に挿入されることを特徴とする、請求項１３に記載のＬＥＤ照明灯。
【請求項１５】
前記電池装置はリング状であり、前記電池装置が前記着脱可能な電池ケースに設置された後、前記着脱可能な電池ケースは上から下に前記口金部を貫通し、前記放熱装置の上端部を被覆するように設置することを特徴とする、請求項１１に記載のＬＥＤ照明灯。
【請求項１６】
前記口金部の下端部には少なくとも１つの止め金部があり、前記着脱可能な電池ケースが前記放熱装置の上端部を被覆するように設置されるとき、前記着脱可能な電池ケースの上端部は前記口金部の前記少なくとも１つの止め金部を係止し、前記着脱可能な電池ケースの下端部は前記放熱装置の上端部と当接することを特徴とする、請求項１５に記載のＬＥＤ照明灯。
【請求項１７】
口金部と、
透光ランプシェードと、
複数のＬＥＤダイス（Ｄｉｅｓ）をその上に設置するＬＥＤランプボードと、
取替え可能な部材である電池装置をその中に設置するために用いられる電池結合手段と、
側壁には複数の放熱フィンが設置され、少なくとも２つの前記放熱フィンの間に前記電池結合手段を収納するための少なくとも１つの収納空間がある放熱装置と、
ＬＥＤ照明ランプ内に設けられ、交流電源、前記電池結合手段、及び前記ＬＥＤランプボードと電気的に接続され、受け取る前記交流電源の交流電流及び受け取る前記電池装置の直流電流のいずれか１つを前記ＬＥＤランプボードに伝送する電源切り替え用制御回路とを含むことを特徴とする、ＬＥＤ照明ランプ。
【請求項１８】
前記電池結合手段は前記着脱可能な電池ケースである、又は前記電池装置はバッテリー、リチウム電池、乾電池又は充電電池のいずれか１つである、又は電池ケースの中に設置され前記電池装置は一部分の構造は外に露出し、ユーザーが前記電池装置を取り替えることが便利である、又は前記電源切り替え用制御回路と前記交流電源の間に設置され、ユーザーが前記ＬＥＤランプボードの発光照明を制御するための切り替え用スイッチと、ユーザーが前記ＬＥＤランプボードの発光照明を制御するための押しボタンスイッチと、電池回路板、隠蔽式電池ケース及び地震が発生したときに前記ＬＥＤランプボードの発光照明を制御するための地震感知モジュールと、を含み、前記押しボタンスイッチと前記隠蔽式電池ケースはどれも前記電池回路板に設置されると共に相互に電気的に接続され、前記地震感知モジュールはマイクロマシンチップ構造の重力感知装置に属することを特徴とする、請求項１７に記載のＬＥＤ照明ランプ。
【請求項１９】
前記照明灯具の本体上に設置され、検知範囲内に人体が進入したかを検知するために用いられ、前記人体が前記検知範囲内に進入したことを検知すると、人体感知信号を発生させる人体感知装置を含むことを特徴とする、請求項１７に記載のＬＥＤ照明ランプ。
【請求項２０】
前記電池結合手段は前記着脱可能な電池ケースであり、頂点部と底部にはそれぞれ係止ピンと位置決め溝が設置され、前記収納空間の頂点部と底部にはそれぞれ止め金部と位置決めシートが設置され、前記着脱可能な電池ケースが前記収納空間に接続されるとき、前記着脱可能な電池ケースの前記係止ピンは前記収納空間の前記止め金部に係合され、前記収納空間の前記位置決めシートは前記着脱可能な電池ケースの前記位置決め溝内に挿入されることを特徴とする、請求項１９に記載のＬＥＤ照明ランプ。